【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
非アジ化物の有機窒素含有燃料を含む改善された過塩素酸アンモニウム含有ガス発生剤組成物であって、
１００μｍを超える平均粒子サイズで存在する過塩素酸アンモニウムを含み、
ガス発生剤を燃焼したときに塩化水素の実質的にないガス状流出物を得るのに効果的な量で存在する塩素スカベンジャーをさらに含有し、当該塩素スカベンジャーの少なくとも９８質量パーセントが、塩基性硝酸銅、酸化第二銅、硝酸アンモニウムが３〜９０質量パーセントの範囲で混合物中に存在する銅ジアミン二硝酸塩−硝酸アンモニウム混合物、銅ジアミンビテトラゾール、５−アミノテトラゾールと塩基性硝酸銅の反応により得られる硝酸銅錯体、及びそれらの組み合わせからなる群より選択された銅含有化合物である、過塩素酸アンモニウム含有ガス発生剤組成物。
【請求項２】
前記過塩素酸アンモニウムが、少なくとも２００μｍの平均粒子サイズで存在する、請求項１に記載の過塩素酸アンモニウム含有ガス発生剤組成物。
【請求項３】
前記過塩素酸アンモニウムが、３５０〜４５０μｍの範囲の平均粒子サイズで存在する、請求項１に記載の過塩素酸アンモニウム含有ガス発生剤組成物。
【請求項４】
０．９６〜１．０６の範囲の当量比を有する、請求項１に記載の過塩素酸アンモニウム含有ガス発生剤組成物。
【請求項５】
前記過塩素酸アンモニウム含有ガス発生剤組成物の燃焼により、ガス状流出物がさらに一酸化炭素、アンモニア、二酸化窒素及び一酸化窒素を実質的に含まない、請求項１に記載の過塩素酸アンモニウム含有ガス発生剤組成物。
【請求項６】
前記非アジ化物の有機窒素含有燃料が、硝酸アミン、ニトラミン、複素環式ニトロ化合物、テトラゾール化合物、及びそれらの組み合わせからなる群より選択された、請求項１に記載の過塩素酸アンモニウム含有ガス発生剤組成物。
【請求項７】
非アジ化物の窒素含有燃料が硝酸グアニジンである、請求項１に記載の過塩素酸アンモニウム含有ガス発生剤組成物。
【請求項８】
前記銅含有化合物が塩基性硝酸銅である、請求項１に記載の過塩素酸アンモニウム含有ガス発生剤組成物。
【請求項９】
前記銅含有化合物が酸化第二銅である、請求項１に記載の過塩素酸アンモニウム含有ガス発生剤組成物。
【請求項１０】
前記銅含有化合物が、硝酸アンモニウムが３〜９０質量パーセントの範囲で混合物中に存在する銅ジアミン二硝酸塩−硝酸アンモニウム混合物である、請求項１に記載の過塩素酸アンモニウム含有ガス発生剤組成物。
【請求項１１】
前記銅含有化合物が銅ジアミンビテトラゾールである、請求項１に記載の過塩素酸アンモニウム含有ガス発生剤組成物。
【請求項１２】
前記銅含有化合物が、５−アミノテトラゾールと塩基性硝酸銅の反応により得られる硝酸銅錯体である、請求項１に記載の過塩素酸アンモニウム含有ガス発生剤組成物。
【請求項１３】
１組成質量パーセント以下の銅のない塩素スカベンジャーを含有する、請求項１に記載の過塩素酸アンモニウム含有ガス発生剤組成物。
【請求項１４】
前記過塩素酸アンモニウム含有ガス発生剤組成物中に存在する非アジ化物の有機窒素含有燃料、過塩素酸アンモニウム、銅含有化合物、及び任意の金属酸化物添加剤が、当該過塩素酸アンモニウム含有ガス発生剤組成物が０．９６〜１．０６の範囲の当量比を有するのに十分な相対量で存在し、当該ガス発生剤組成物の燃焼により、さらに一酸化炭素、アンモニア、二酸化窒素及び一酸化窒素の実質的にないガス状流出物が得られる、請求項１３に記載の過塩素酸アンモニウム含有ガス発生剤組成物。
【請求項１５】
４０〜６０組成質量パーセントの硝酸グアニジンと；
３５〜５０組成質量パーセントの塩基性硝酸銅と；
１００μｍを超える平均粒子サイズの１〜１０組成質量パーセントの過塩素酸アンモニウムと；
１〜５組成質量パーセントの金属酸化物の燃焼速度促進及びスラグ形成添加剤と
から本質的になる、請求項１に記載の過塩素酸アンモニウム含有ガス発生剤組成物。
【請求項１６】
４０〜５０組成質量パーセントの硝酸グアニジンと；
硝酸アンモニウムが３〜９０質量パーセントの範囲で混合物中に存在する、４０〜５５組成質量パーセントの銅ジアミン二硝酸塩−硝酸アンモニウム混合物と；
１００μｍを超える平均粒子サイズの１〜１０組成質量パーセントの過塩素酸アンモニウムと；
１〜５組成質量パーセントの少なくとも１つの金属酸化物の燃焼速度促進及びスラグ形成添加剤と
から本質的になる、請求項１に記載の過塩素酸アンモニウム含有ガス発生剤組成物。
【請求項１７】
１０〜４０組成質量パーセントの硝酸グアニジンと；
４５〜６０組成質量パーセントの塩基性硝酸銅と；
５〜３０組成質量パーセントの銅ジアミンビテトラゾールと；
１００μｍを超える平均粒子サイズの１〜１０組成質量パーセントの過塩素酸アンモニウムと；
１〜５組成質量パーセントの少なくとも１つの金属酸化物の燃焼速度促進及びスラグ形成添加剤と
を含む、請求項１に記載の過塩素酸アンモニウム含有ガス発生剤組成物。
【請求項１８】
１０〜６０組成質量パーセントの硝酸グアニジンと；
１〜３５組成質量パーセントの塩基性硝酸銅と；
５−アミノテトラゾールと塩基性硝酸銅の反応により得られる１０〜６０組成質量パーセントの硝酸銅錯体と；
１００μｍを超える平均粒子サイズの１〜１０組成質量パーセントの過塩素酸アンモニウムと；
１〜５組成質量パーセントの少なくとも１つの金属酸化物の燃焼速度促進及びスラグ形成添加剤と
を含む、請求項１に記載の過塩素酸アンモニウム含有ガス発生剤組成物。
【請求項１９】
請求項１に記載の過塩素酸アンモニウム含有ガス発生剤組成物を点火してある量の膨張ガスを生成する工程と；
当該膨張ガスによってエアバッグクッションを膨張させる工程と
を含む、自動車の膨張式拘束システムのエアバッグクッションを膨張させるための膨張ガスを発生させる方法。
【請求項２０】
前記膨張ガスが塩化水素を実質的に含まない、請求項１９に記載の方法。
【請求項２１】
過塩素酸アンモニウム含有ガス発生剤組成物であって、
非アジ化物の有機窒素含有燃料と、
塩基性硝酸銅、酸化第二銅、硝酸アンモニウムが３〜９０質量パーセントの範囲で混合物中に存在する銅ジアミン二硝酸塩−硝酸アンモニウム混合物、銅ジアミンビテトラゾール、５−アミノテトラゾールと塩基性硝酸銅の反応により得られる硝酸銅錯体、及びそれらの組み合わせからなる群より選択された銅含有塩素スカベンジャーと、
１〜１０組成質量パーセントの１００μｍを超える平均粒子サイズの過塩素酸アンモニウムと、
二酸化ケイ素、酸化アルミニウム、酸化亜鉛、及びそれらの組み合わせからなる群より選択された、１〜５組成質量パーセントの少なくとも１つの金属酸化物の燃焼速度促進及びスラグ形成添加剤と
から本質的になり、当該ガス発生剤組成物が１組成質量パーセント以下の銅のない塩素スカベンジャーを含有し、
当該非アジ化物の有機窒素含有燃料、銅含有塩素スカベンジャー、過塩素酸アンモニウム、並びに金属酸化物の燃焼速度促進及びスラグ形成添加剤が、当該ガス発生剤組成物が０．９６〜１．０６の範囲の当量比を有するのに十分な相対量で存在し、
当該ガス発生剤組成物の燃焼により、塩化水素、一酸化炭素、アンモニア、二酸化窒素及び一酸化窒素の実質的にないガス状流出物が得られる、過塩素酸アンモニウム含有ガス発生剤組成物。
【請求項２２】
前記過塩素酸アンモニウムが、少なくとも２００μｍの平均粒子サイズで存在する、請求項２１に記載の過塩素酸アンモニウム含有ガス発生剤組成物。
【請求項２３】
前記過塩素酸アンモニウムが、３５０〜４５０μｍの範囲の平均粒子サイズで存在する、請求項２１に記載の過塩素酸アンモニウム含有ガス発生剤組成物。
【請求項２４】
４０〜６０組成質量パーセントの硝酸グアニジンと；
３５〜５０組成質量パーセントの塩基性硝酸銅と；
１００μｍを超える平均粒子サイズの１〜１０組成質量パーセントの過塩素酸アンモニウムと；
１〜５組成質量パーセントの金属酸化物の燃焼速度促進及びスラグ形成添加剤と
から本質的になる、請求項２１に記載の過塩素酸アンモニウム含有ガス発生剤組成物。
【請求項２５】
４０〜５０組成質量パーセントの硝酸グアニジンと；
硝酸アンモニウムが３〜９０質量パーセントの範囲で混合物中に存在する、４０〜５５組成質量パーセントの銅ジアミン二硝酸塩−硝酸アンモニウム混合物と；
１００μｍを超える平均粒子サイズの１〜１０組成質量パーセントの過塩素酸アンモニウムと；
１組成質量パーセントの少なくとも１つの金属酸化物の燃焼速度促進及びスラグ形成添加剤と
から本質的になる、請求項２１に記載の過塩素酸アンモニウム含有ガス発生剤組成物。
【請求項２６】
１０〜４０組成質量パーセントの硝酸グアニジンと；
４５〜６０組成質量パーセントの塩基性硝酸銅と；
５〜３０組成質量パーセントの銅ジアミンビテトラゾールと；
１００μｍを超える平均粒子サイズの１〜１０組成質量パーセントの過塩素酸アンモニウムと；
１〜５組成質量パーセントの少なくとも１つの金属酸化物の燃焼速度促進及びスラグ形成添加剤と
から本質的になる、請求項２１に記載の過塩素酸アンモニウム含有ガス発生剤組成物。
【請求項２７】
１０〜６０組成質量パーセントの硝酸グアニジンと；
１〜３５組成質量パーセントの塩基性硝酸銅と；
５−アミノテトラゾールと塩基性硝酸銅の反応により得られる１０〜６０組成質量パーセントの硝酸銅錯体と；
１００μｍを超える平均粒子サイズの１〜１０組成質量パーセントの過塩素酸アンモニウムと；
１〜５組成質量パーセントの少なくとも１つの金属酸化物の燃焼速度促進及びスラグ形成添加剤と
から本質的になる、請求項２１に記載の過塩素酸アンモニウム含有ガス発生剤組成物。
【請求項２８】
請求項２１に記載の過塩素酸アンモニウム含有ガス発生剤組成物を点火してある量の膨張ガスを生成する工程と；
当該膨張ガスによってエアバッグクッションを膨張させる工程と
を含む、自動車の膨張式拘束システムのエアバッグクッションを膨張させるための膨張ガスを発生させる方法。
【請求項２９】
窒素含有燃料と；
過塩素酸アンモニウム酸化剤と；
ガス発生剤を燃焼したときに塩化水素の実質的にないガス状流出物を得るのに効果的な量で存在する塩素スカベンジャーと
を含み、当該塩素スカベンジャーの少なくとも９８質量パーセントが銅含有化合物である、塩素含有ガス発生剤組成物。
【請求項３０】
前記銅含有化合物が、硝酸銅錯体、塩基性硝酸銅、酸化第二銅、及びそれらの組み合わせからなる群より選択された、請求項２９に記載の塩素含有ガス発生剤組成物。
【請求項３１】
１〜２０組成質量パーセントの過塩素酸アンモニウムと；
窒素含有燃料と塩素スカベンジャーを含む８０〜９９組成質量パーセントの前駆体混合物と
を含む、請求項２９に記載の塩素含有ガス発生剤組成物。
【請求項３２】
前記前駆体混合物が、
３０〜７０組成質量パーセントの窒素含有燃料と；
３０〜７０組成質量パーセントの塩素スカベンジャーと
を含む、請求項３１に記載の塩素含有ガス発生剤組成物。
【請求項３３】
前記前駆体混合物が、過塩素酸アンモニウムの燃焼を促進するのに効果的な最大１０組成質量パーセントの少なくとも１つの燃焼促進剤をさらに含む、請求項３２に記載の塩素含有ガス発生剤組成物。
【請求項３４】
前記燃焼促進剤が、酸化鉄、亜クロム酸銅、紺青顔料、及びそれらの組み合わせからなる群より選択された、請求項３３に記載の塩素含有ガス発生剤組成物。
【請求項３５】
前記燃焼促進剤が紺青顔料である、請求項３３に記載の塩素含有ガス発生剤組成物。
【請求項３６】
請求項２９に記載の塩素含有ガス発生剤組成物を点火してある量の膨張ガスを生成する工程と；
当該膨張ガスによってエアバッグクッションを膨張させる工程と
を含む、自動車の膨張式拘束システムのエアバッグクッションを膨張させるための膨張ガスを発生させる方法。